(57)【要約】【課題】設定画面で設定した項目の設定状態を設定確認画面で容易に確認することができる制御装置及び制御方法並びに制御プログラムの提供。【解決手段】画像形成装置を制御する制御装置に、ハードウェア又はソフトウェア（プリンタドライバ）として設定制御部を設け、設定制御部は、印刷条件を設定するための各種項目がタブで分類された設定画面（例えば、ドキュメントプロパティ画面）における各種項目の設定状態を確認するための設定確認画面５０（例えば、お気に入り設定の編集画面）を表示部に表示させる際に、設定画面に表示されるチェックボックスなどの図形を表示したり、設定画面における各項目の主従関係に基づいてインデント表示するなど、設定画面の表示形態に基づいて設定確認画面５０の表示を制御する。これにより、設定確認画面５０から設定画面をイメージすることができる。【選択図】図８
2008186114.tif 000002
【特許請求の範囲】
【請求項１】
設定画面で設定された項目の設定状態が表示される設定確認画面を表示部に表示させる設定制御部を少なくとも備える制御装置であって、
前記設定制御部は、前記設定画面における、前記項目の名称と、前記項目の設定内容を示す設定情報と、前記項目の有効或いは無効を選択するためのグラフィカル・ユーザ・インターフェース・エレメント（以下、ＧＵＩエレメント）が配置されている場合は該ＧＵＩエレメントを指し示す図形と、を前記設定確認画面に表示させることを特徴とする制御装置。
【請求項２】
前記設定制御部は、前記名称と前記設定情報と前記図形と、を前記設定画面に表示される形態に基づいて前記設定確認画面に表示させることを特徴とする請求項１記載の制御装置。
【請求項３】
前記設定制御部は、前記設定画面の特定の項目に対して詳細項目が設定された場合に、前記設定確認画面に、前記詳細項目を前記特定の項目に対して位置をずらして表示させることを特徴とする請求項１又は２に記載の制御装置。
【請求項４】
設定可能な項目が表示される設定画面を表示部に表示させる第１のステップと、
前記設定画面で設定された前記項目の設定状態が表示される設定確認画面を前記表示部に表示させる第２のステップと、を少なくとも有する制御方法であって、
前記第２のステップでは、前記設定画面における、前記項目の名称と、前記項目の設定内容を示す設定情報と、前記項目の有効或いは無効を選択するためのグラフィカル・ユーザ・インターフェース・エレメント（以下、ＧＵＩエレメント）が配置されている場合は該ＧＵＩエレメントを指し示す図形と、を前記設定確認画面に表示させることを特徴とする制御方法。
【請求項５】
前記第２のステップでは、前記名称と前記設定情報と前記図形と、を前記設定画面に表示される形態に基づいて前記設定確認画面に表示させることを特徴とする請求項４記載の制御方法。
【請求項６】
前記第１のステップで、前記設定画面の特定の項目に対して詳細項目が設定された場合に、
前記第２のステップでは、前記設定確認画面に、前記詳細項目を前記特定の項目に対して位置をずらして表示させることを特徴とする請求項４又は５に記載の制御方法。
【請求項７】
制御装置で実行される制御プログラムであって、
コンピュータを、
設定画面で設定された項目の設定状態が表示される設定確認画面を表示部に表示させる際に、
前記設定画面における、前記項目の名称と、前記項目の設定内容を示す設定情報と、前記項目の有効或いは無効を選択するためのグラフィカル・ユーザ・インターフェース・エレメント（以下、ＧＵＩエレメント）が配置されている場合は該ＧＵＩエレメントを指し示す図形と、を前記設定確認画面に表示させる設定制御部、として機能させることを特徴とする制御プログラム。
【請求項８】
前記設定制御部は、前記名称と前記設定情報と前記図形と、を前記設定画面に表示される形態に基づいて前記設定確認画面に表示させることを特徴とする請求項７記載の制御プログラム。
【請求項９】
前記設定制御部は、前記設定画面の特定の項目に対して詳細項目が設定された場合に、前記設定確認画面に、前記詳細項目を前記特定の項目に対して位置をずらして表示させることを特徴とする請求項７又は８に記載の制御プログラム。
【発明の詳細な説明】
【技術分野】
【０００１】
本発明は、制御装置及び制御方法並びに制御プログラムに関し、特に、画像形成装置を制御する制御装置及び該制御装置における制御方法並びに該制御装置で動作する制御プログラムに関する。
【背景技術】
【０００２】
コピー機能やファクシミリ機能、プリンタ機能、スキャナ機能などを備える複写機や複合機（以下、これらを総称して画像形成装置と呼ぶ。）が普及している。この画像形成装置をネットワークプリンタとして利用して印刷を実行する場合、まず、ネットワークに接続されているコンピュータ端末にインストールされている文書アプリケーションを用いて文書を作成した後、画像形成装置を制御するためのソフトウェア（プリンタドライバ）を用いて、ページ記述言語（ＰＤＬ：Page Description Language）形式の印刷データに変換して画像形成装置に送信し、画像形成装置では、印刷データを解析して中間データを生成した後、ビットマップデータに変換して紙媒体に出力する。
【０００３】
上記文書の印刷に際して、プリンタドライバにより表示される画面（例えば、ドキュメントプロパティ画面）を用いて各種印刷条件を設定することになるが、このドキュメントプロパティ画面で設定する項目は多数あるため、各々の項目をどのように設定したかを確認しやすくすることが望まれる。そこで、例えば、下記特許文献１には、ディスプレイ画面の上側に、各種条件を設定するための基本操作画面を表示し、画面の左側に、各項目の設定状態を一覧表示する設定内容確認画面を表示し、画面の右側に、設定内容確認画面で指示されたタブの設定項目の詳細設定用画面を表示する構成が開示されている。
【０００４】
【特許文献１】特開２００４−５４４３２号公報
【発明の開示】
【発明が解決しようとする課題】
【０００５】
ここで、上記ドキュメントプロパティ画面は、通常、設定すべき複数の項目がタブで分類された画面構成になっているため、個々のタブに対応する画面に、その画面内の項目の設定状態を一覧表示する設定内容確認画面が表示されても、全項目の設定内容を確認することはできない。そこで、所定の操作により、全ての項目の設定内容が表示される設定確認画面を表示して、この設定確認画面で設定内容をまとめて確認できるようにしている。
【０００６】
しかしながら、従来の設定確認画面には、各々の項目の名称やその設定情報が単に羅列して表示されるだけであり、ドキュメントプロパティ画面などの設定画面における各項目の表示形態と、設定確認画面における各項目の表示形態とが一致していないため、双方の画面の対応関係がわかりにくいという問題があった。
【０００７】
具体的に説明すると、図１０に示すような設定画面（ドキュメントプロパティ画面４４）で各種項目を設定する場合、所定の項目に設けられたチェックボックスをチェックして設定を行う項目を選択し、選択した項目に対して、プルダウンメニューの中から所望の条件を選択したり、所望の条件を入力するなどの操作を行うことになるが、図１１に示すように、従来の設定確認画面６０には、設定表示欄６２に、各々の項目の名称とその設定情報とが羅列して表示されるだけであるため、設定確認画面６０を見てもドキュメントプロパティ画面４０をイメージすることができず、各々の項目の設定状態を容易に確認することができない。
【０００８】
このような問題は、ドキュメントプロパティ画面４０で設定した項目を確認する場合に限らず、設定画面で設定した任意の項目の設定状態を設定確認画面で確認する場合において同様に生じる。
【０００９】
本発明は上記問題点に鑑みてなされたものであり、その主たる目的は、設定画面で設定した項目の設定状態を設定確認画面で容易に確認することができる制御装置及び制御方法並びに制御プログラムを提供することにある。
【課題を解決するための手段】
【００１０】
上記目的を達成するため、本発明は、設定画面で設定された項目の設定状態が表示される設定確認画面を表示部に表示させる設定制御部を少なくとも備える制御装置であって、前記設定制御部は、前記設定画面における、前記項目の名称と、前記項目の設定内容を示す設定情報と、前記項目の有効或いは無効を選択するためのグラフィカル・ユーザ・インターフェース・エレメント（以下、ＧＵＩエレメント）が配置されている場合は該ＧＵＩエレメントを指し示す図形と、を前記設定確認画面に表示させるものである。
【００１１】
本発明においては、前記設定制御部は、前記名称と前記設定情報と前記図形と、を前記設定画面に表示される形態に基づいて前記設定確認画面に表示させる構成とすることができる。
【００１２】
また、本発明においては、前記設定制御部は、前記設定画面の特定の項目に対して詳細項目が設定された場合に、前記設定確認画面に、前記詳細項目を前記特定の項目に対して位置をずらして表示させる構成とすることができる。
【００１３】
また、本発明は、設定可能な項目が表示される設定画面を表示部に表示させる第１のステップと、前記設定画面で設定された前記項目の設定状態が表示される設定確認画面を前記表示部に表示させる第２のステップと、を少なくとも有する制御方法であって、前記第２のステップでは、前記設定画面における、前記項目の名称と、前記項目の設定内容を示す設定情報と、前記項目の有効或いは無効を選択するためのグラフィカル・ユーザ・インターフェース・エレメント（以下、ＧＵＩエレメント）が配置されている場合は該ＧＵＩエレメントを指し示す図形と、を前記設定確認画面に表示させるものである。
【００１４】
本発明においては、前記第２のステップでは、前記名称と前記設定情報と前記図形と、を前記設定画面に表示される形態に基づいて前記設定確認画面に表示させる構成とすることができる。
【００１５】
また、本発明においては、前記第１のステップで、前記設定画面の特定の項目に対して詳細項目が設定された場合に、前記第２のステップでは、前記設定確認画面に、前記詳細項目を前記特定の項目に対して位置をずらして表示させる構成とすることができる。
【００１６】
また、本発明は、制御装置で実行される制御プログラムであって、コンピュータを、設定画面で設定された項目の設定状態が表示される設定確認画面を表示部に表示させる際に、前記設定画面における、前記項目の名称と、前記項目の設定内容を示す設定情報と、前記項目の有効或いは無効を選択するためのグラフィカル・ユーザ・インターフェース・エレメント（以下、ＧＵＩエレメント）が配置されている場合は該ＧＵＩエレメントを指し示す図形と、を前記設定確認画面に表示させる設定制御部、として機能させるものである。
【００１７】
このように、本発明では、設定確認画面には、項目の名称と設定情報と図形とが設定画面に表示される形態で表示されるため、設定確認画面を見て設定画面をイメージすることができ、これにより、各項目の設定状態を容易に確認することができる。
【発明の効果】
【００１８】
本発明の制御装置及び制御方法並びに制御プログラムによれば、設定画面で設定した項目の設定状態を設定確認画面で容易に確認することができる。
【００１９】
その理由は、制御装置の設定制御部（又は制御プログラム）は、設定画面（例えば、ドキュメントプロパティ画面）で設定された各種項目の設定状態を確認するための設定確認画面を表示部に表示させる際に、各項目の名称と該項目の設定情報と必要に応じて該項目の有効或いは無効を選択するためのグラフィカル・ユーザ・インターフェース・エレメント（ＧＵＩエレメント）が配置されている場合は該ＧＵＩエレメントを指し示す図形とを、設定画面に表示される形態に基づいて表示させるため、設定確認画面を見て設定画面をイメージすることができ、設定画面と設定確認画面とを対応付けることができるからである。
【発明を実施するための最良の形態】
【００２０】
本発明は、その好ましい一実施の形態において、画像形成装置を制御する制御装置に、ハードウェア又はソフトウェア（プリンタドライバ）として設定制御部を設け、設定制御部は、印刷条件を設定するための各種項目がタブで分類された設定画面（例えば、ドキュメントプロパティ画面）における各種項目の設定状態を確認／保存するための設定確認画面（例えば、お気に入り設定の編集画面）を表示部に表示させる際に、設定確認画面に各々の項目の名称や設定情報を単に羅列して表示するのではなく、設定画面に表示されるチェックボックス、ラジオボタン、トグルスイッチなどの、設定項目自体の有効／無効（或いは、選択／非選択）を選択するためのグラフィカル・ユーザ・インターフェース・エレメント（ＧＵＩエレメント）を指し示す図形を表示したり、設定画面における各項目の主従関係に基づいてインデント表示するなど、設定画面に表示される形態に基づいて設定確認画面の表示を制御する。これにより、ユーザは設定確認画面から設定画面をイメージすることができるため、項目の設定状態を容易に確認することができる。
【実施例】
【００２１】
上記した本発明の一実施の形態についてさらに詳細に説明すべく、本発明の一実施例に係る制御装置及び制御方法並びに制御プログラムについて、図１乃至図９を参照して説明する。図１は、本実施例の印刷システムの構成を模式的に示す図である。また、図２は、コンピュータ端末の構成を示すブロック図、図３は、プリンタドライバによりコンピュータ端末で実行される機能を示すブロック図であり、図４は、画像形成装置の構成を示すブロック図である。また、図５は、本実施例のコンピュータ端末における制御手順を示すフローチャート図であり、図６乃至図９は、コンピュータ端末の表示部に表示される画面の構成例を示す図である。
【００２２】
図１に示すように、本実施例の印刷システム１０は、文書を作成するアプリケーション（以下、文書アプリケーションと呼ぶ。）で作成したデータ（以下、文書データと呼ぶ。）又は文書データをページ記述言語に変換したデータ（以下、印刷データと呼ぶ。）に基づいて印刷を指示する１又は複数の制御装置（以下、コンピュータ端末２０とする。）と、コンピュータ端末２０から取得した文書データ又は印刷データに基づいて印刷を実行するプリンタやデジタル複合機などの１又は複数の画像形成装置３０とを備え、コンピュータ端末２０と画像形成装置３０とは、ＬＡＮ（Local Area Network）やＷＡＮ（Wide Area Network）などの通信ネットワークを介して接続されている。
【００２３】
また、図２に示すように、コンピュータ端末２０は、ＣＰＵ（Central Processing Unit）２１ａ、ＲＯＭ（Read Only Memory）２１ｂ、ＲＡＭ（Random Access Memory）２１ｃなどで構成される制御部２１と、プログラムやデータを記憶するハードディスクなどの記憶部２２と、各種操作を行うキーボードやマウスなどの操作部２３と、後述する各種画面を表示するＬＣＤ（Liquid Crystal Display）などの表示部２４と、通信ネットワークに接続するためのＮＩＣ（Network Interface Card）やモデムなどのネットワーク接続部２５とを備え、ＯＳ（Operating System）や文書アプリケーション、画像形成装置３０を制御するためのデバイスドライバ（以下、プリンタドライバと呼ぶ。）は、通常、ＲＯＭ２１ｂ又は記憶部２２からＲＡＭ２１ｃに読み込まれてＣＰＵ２１ａ上で実行される。
【００２４】
また、図３に示すように、上記プリンタドライバは、コンピュータ端末２０の制御部２１を、文書データをページ記述言語に変換して印刷データを生成する印刷データ生成部２６、画像形成装置３０に印刷を実行させるための条件を定める各種項目をユーザに設定させるための設定画面（例えば、後述するドキュメントプロパティ画面）や各種項目の設定状態の確認や保存を行うための設定確認画面（例えば、後述するお気に入り設定の編集画面）などを表示部２４に表示させる設定制御部２７、印刷データなどを画像形成装置３０に送信して印刷を指示する印刷指示部２８などとして機能させる。
【００２５】
なお、図１では、コンピュータ端末２０としてパーソナルコンピュータを示しているが、コンピュータ端末２０は文書データに基づく印刷が指示可能な機器であればよく、例えば、ＰＤＡ（Personal Digital Assistants）や携帯電話機などとしてもよい。また、図１では、文書アプリケーションやプリンタドライバをコンピュータ端末２０のＲＯＭ２１ｂや記憶部２２に記憶させる構成としたが、これらのプログラムを通信ネットワークで接続される他のコンピュータ端末やサーバなどに記憶しておき、他のコンピュータ端末やサーバから読み出して実行する構成としてもよいし、他のコンピュータ端末やサーバ上で動作させる構成としてもよい。
【００２６】
また、図３では、プリンタドライバは、コンピュータ端末２０の制御部２１を、印刷データ生成部２６、設定制御部２７、印刷指示部２８として機能させる構成としたが、文書データがＸＰＳ（XML Paper Specification）に基づいて作成されたデータ、ＰＤＦ（Portable Document Format）データ、ＰＳ（Post Script）やＰＣＬ（Printer Control Language）等で記述されたデータの場合は画像形成装置３０で文書データを利用することができるため、その場合は印刷データ生成部２６を省略することもできるし、文書アプリケーションやＯＳが印刷指示部２８としての機能を有する場合は、印刷指示部２８を省略することもできる。
【００２７】
また、図４に示すように、画像形成装置３０は、ＣＰＵ３１ａ、ＲＯＭ３１ｂ、ＲＡＭ３１ｃ、ＨＤＤ３２、ＵＳＢ  Ｉ／Ｆ３３、ＬＡＮ  Ｉ／Ｆ３４、表示操作部３５、言語解析部３６、画像処理部３７、印刷部３８などで構成され、これらはバスを介して接続されている。
【００２８】
ＲＯＭ３１ｂは、画像形成装置３０全体の動作を制御するためのプログラム等を記憶する。ＲＡＭ３１ｃは、ＣＰＵ３１ａによる制御に必要なデータ及び制御動作時に一時記憶が必要なデータ等を記憶する。そして、ＣＰＵ３１ａはＲＯＭ３１ｂ、ＲＡＭ３１ｃと協働して画像形成装置全体の動作を制御する制御部３１として機能する。
【００２９】
ＨＤＤ３２は、コンピュータ端末２０から取得した印刷データなどを保存する。
【００３０】
ＬＡＮ  Ｉ／Ｆ３４は、ＮＩＣやモデムなどの通信ネットワークに接続するためのインターフェースであり、コンピュータ端末２０から印刷データなどを受信する。
【００３１】
ＵＳＢ  Ｉ／Ｆ３３は、ＵＳＢ（Universal Serial Bus）メモリなどのデバイスを接続するためのインターフェースである。
【００３２】
表示操作部３５は、ＬＣＤなどの表示部と表示部を覆うタッチパネルなどの操作部から構成され、ＣＰＵ３１ａからの表示信号に従って、アイコンやキーボタン、印刷に必要な各種設定をＬＣＤ等に表示すると共に、タッチパネル等から入力される操作信号をＣＰＵ３１ａに出力する。
【００３３】
言語解析部３６は、ＬＡＮ  Ｉ／Ｆ３４を介してコンピュータ端末２０から取得した印刷データを解析し、印刷データをビットマップ形式のデータ（以下、ビットマップデータと呼ぶ。）に展開する前の中間形式のデータ（以下、中間データと呼ぶ。）を作成する処理を行う。
【００３４】
画像処理部３７は、言語解析部３６により作成された中間データから印刷可能なビットマップデータを作成する処理を行う。
【００３５】
印刷部３８は、画像処理部３７により作成されたビットマップデータに基づいて、上記パラメータで特定される印刷モードに従って印刷を行う。具体的には、帯電装置により帯電された感光体ドラムに露光装置からビットマップデータに応じた光を照射して静電潜像を形成し、現像装置で帯電したトナーを付着させて現像し、そのトナー像を一次転写ローラ、二次転写ベルトを介して紙媒体に転写して定着装置で定着させる処理を行う。
【００３６】
なお、言語解析部３６や画像処理部３７はハードウェアとして構成してもよいし、コンピュータを言語解析部３６や画像処理部３７として機能させるプログラムとして構成して制御部３１上で動作させる構成としてもよい。また、図４は、本実施例の画像形成装置３０の一例であり、例えば、ＵＳＢ  Ｉ／Ｆ３３などを省略してもよいし、ステープル処理やパンチ処理などを行うフィニッシャなどを追加してもよい。
【００３７】
ここで、ドキュメントプロパティ画面で設定した各種項目の設定状態を確認する場合、ドキュメントプロパティ画面で所定の操作（例えば、お気に入りの追加や編集ボタンの押下）を行って設定確認画面を表示させ、その設定確認画面に一覧表示された情報を利用して確認を行っていたが、図１１に示すように、従来の設定確認画面６０には、各々の項目の名称や項目の設定状態を示す情報（以下、設定情報と呼ぶ。）が単に羅列して表示されるだけであったため、設定確認画面６０とドキュメントプロパティ画面とを対応付けることが困難であった。
【００３８】
そこで、本実施例では、上記設定制御部２７（又はプリンタドライバ）は、設定画面（例えば、ドキュメントプロパティ画面）で設定された各種項目の設定状態を確認／保存するための設定確認画面（例えば、お気に入り設定の編集画面）を表示部２４に表示させる際に、設定画面と設定確認画面とで、各項目が同じように表示されるように制御して、設定確認画面から設定画面をイメージできるようにし、各種項目の設定状態を容易に確認できるようにする。
【００３９】
具体的に説明すると、ドキュメントプロパティ画面４０は、図６に示すように、基本設定、レイアウト、仕上げ、カバーシート／挿入紙、スタンプ／ページ印字、画像品質などの各種項目が複数のタブ４１で分類されており、各々のタブ４１を選択すると、そのタブ４１に対応する画面（図６はレイアウトタブが選択された場合を示している。）が表示される。
【００４０】
また、各々のタブ４１に対応する画面には、お気に入りの欄が設けられており、その中の追加ボタンや編集ボタンを押下すると、図８に示すような、お気に入り設定の確認や編集、保存を行うための設定確認画面５０が表示される。この設定確認画面５０には、お気に入り設定を選択するための設定選択欄５１と、選択したお気に入り設定の具体的内容が表示される設定表示欄５２などが設けられている。
【００４１】
そして、設定制御部２７（又はプリンタドライバ）は、表示部２４に設定確認画面５０を表示させる際に、設定表示欄５２には、図６に示すドキュメントプロパティ画面４０に表示される形態（例えば、項目の構成や表示位置、表示順序、外観、色など）に基づいて、各項目の設定状態を表示させる。
【００４２】
例えば、図６のドキュメントプロパティ画面４０は、基本設定、レイアウト、仕上げ、カバーシート／挿入紙、スタンプ／ページ印字、画像品質などタブ４１で分類されていることから、図８の設定確認画面５０の設定表示欄５２も、同じ名称、同じ順序のタブ４１を表示して、タブ４１毎に項目を確認できるようにする。また、図６のレイアウトタブに対応する画面には、ページ割付や１８０度回転、白紙抑制、章分け、とじしろ、画像シフトの各項目にチェックボックスが設けられており、ページ割付のチェックボックスのみチェックされていることから、設定確認画面５０の設定表示欄５２も、同じ名称の項目を同じ順序で表示すると共に、チェックボックスのある項目には同様にチェックボックスを表示し、更に、ページ割付のチェックボックスにのみチェックマークを表示する。
【００４３】
また、図６のドキュメントプロパティ画面４０におけるページ割付の項目は詳細設定が可能であり、ページ割付詳細ボタンを押下すると、図７に示すようなページ割付詳細画面４３が表示され、ページ割付詳細画面４３内に順序や境界を設定する項目が表示されることから、設定確認画面５０の設定表示欄５２には、ページ割付の項目と順序や境界の項目とを単に羅列するのではなく、順序や境界の項目をページ割付の項目よりも右にずらして（すなわち、段違いに）表示し、主となる基本項目と従となる詳細項目との主従関係を明確にする。その場合においても、境界の項目にはチェックボックスがあることから、設定確認画面５０の設定表示欄５２も、境界の項目にチェックボックスを表示する。
【００４４】
なお、ドキュメントプロパティ画面４０と設定確認画面５０とは各項目の設定状態が容易に対比できる構成であればよく、文字や図形の大きさや形状、色などは多少異なっていてもよいし、対比が可能であれば、例えば、設定確認画面５０の設定表示欄５２にチェックボックスの代わりにトグルスイッチを表示するなどの変更も可能である。また、設定確認画面５０の設定表示欄５２には、必ずしも、ドキュメントプロパティ画面４０に表示される全ての項目を表示させる必要はなく、図９に示すように、一部の項目（例えば、主要な項目やデフォルトの設定を変えた項目）を表示してもよい。
【００４５】
次に、図５のフローチャート図を参照して、本実施例のコンピュータ端末２０で実行される制御について具体的に説明する。
【００４６】
まず、ユーザの所定の操作により、制御部２１は、ＲＯＭ２１ｂや記憶部２２、又は、通信ネットワークを介して接続されている他のコンピュータ端末やサーバなどから文書アプリケーションを読み出して起動、又は、他のコンピュータ端末やサーバ上で文書アプリケーションを起動させる。そして、ユーザは、文書アプリケーションを用いて印刷対象となる文書データを作成する。なお、文書データは本ステップで作成したものに限らず、予め作成した文書データをＲＯＭ２１ｂや記憶部２２、他のコンピュータ端末やサーバなどから取得してもよい。
【００４７】
次に、ユーザが文書アプリケーションの画面において所定の操作を行うと、ステップＳ１０１で、制御部２１は、表示部２４に、印刷を実行する画像形成装置３０の選択や印刷ページ、枚数などの設定を行うための印刷設定画面を表示させる。
【００４８】
次に、ユーザが、印刷設定画面の所定のボタン（通常はプロパティボタン）を押下すると、ステップＳ１０２で、制御部２１は、ＯＳの印刷機能によりプリンタドライバを参照して設定制御部２７として動作し、制御部２１の設定制御部２７（又はプリンタドライバ）は、表示部２４に、図６に示すようなドキュメントプロパティ画面４０を表示させる。なお、ここでは、コンピュータ端末２０上でプリンタドライバを動作させる構成としているが、通信ネットワークを介して接続されている他のコンピュータ端末やサーバのプリンタドライバが共有可能な場合は、他のコンピュータ端末やサーバ上でプリンタドライバを動作させてもよい。
【００４９】
そして、ユーザがドキュメントプロパティ画面４０の所定のタブを選択すると、制御部２１の設定制御部２７（又はプリンタドライバ）は、表示部２４に、所定のタブに対応する画面を表示させ、ユーザがその画面又はその画面から遷移する詳細画面に表示される各項目の設定を行うと、各項目の名称、その設定情報（ユーザが設定しなかった項目に関してはデフォルトの設定情報）、他の項目との主従関係、チェックボックスの有無などを対応付けて、記憶部２２やＲＡＭ２１ｃなどに記憶する。
【００５０】
次に、ステップＳ１０３で、ユーザは、各種項目の設定を確認するか否かを判断し、設定を確認する場合は、ドキュメントプロパティ画面４０で所定の操作（お気に入り欄の編集ボタンの押下）を行うと、ステップＳ１０４で、制御部２１の設定制御部２７（又はプリンタドライバ）は、表示部２４に、図８に示すような設定確認画面５０を表示させる。
【００５１】
次に、ユーザが設定確認画面５０の設定選択欄５１で所望の設定を選択すると、ステップＳ１０５で、制御部２１の設定制御部２７（又はプリンタドライバ）は、選択された設定に対応する項目の名称、設定情報、他の項目との主従関係、チェックボックスの有無などを記憶部２２やＲＡＭ２１ｃから取得し、ステップＳ１０６で、それらの情報に基づいて、設定表示欄５２に各項目を表示する。
【００５２】
その際、前述したように、各項目の名称及び設定情報を単に羅列するのではなく、ドキュメントプロパティ画面４０と同様にタブ４１で分類して表示し、ドキュメントプロパティ画面４０の表示順序に従って各項目を配列する。また、ドキュメントプロパティ画面４０にチェックボックスなどの図形が表示されている場合は、対応する項目にチェックボックスやチェックマークなどの図形を表示する。また、詳細項目が設定されている場合は、インデント表示によって項目の主従関係を明確にする。
【００５３】
次に、ユーザは、設定確認画面５０の設定表示欄５２を見て各項目の設定状態を確認し、更に、他の設定を確認する場合（ステップＳ１０７の”Ｎｏ”の場合）は、ステップＳ１０４に戻って同様の処理を繰り返す。
【００５４】
そして、設定状態の確認が終了したら（ステップＳ１０７の”Ｙｅｓ”の場合）、ドキュメントプロパティ画面４０のＯＫボタンを押下して印刷設定画面に戻り、印刷設定画面の所定のボタン（印刷ボタン）を押下すると、ステップＳ１０８で、制御部２１の印刷データ生成部２６（又はプリンタドライバ）は、文書データをページ記述言語に変換して印刷データを生成し、ステップＳ１０９で、制御部２１の印刷指示部２８（又はプリンタドライバ）は、印刷データとドキュメントプロパティ画面４０の各項目の設定情報とを画像形成装置３０に送信して、画像形成装置３０に文書データの印刷を実行させる。
【００５５】
このように、本実施例では、制御部２１の設定制御部２７（又はプリンタドライバ）は、ドキュメントプロパティ画面４０で設定される各種項目の設定状態を確認するための設定確認画面５０を表示部２４に表示させる場合に、各項目の名称とその設定情報と必要に応じてチェックボックスなどの図形とを、ドキュメントプロパティ画面４０に表示される形態に基づいて表示させる制御を行うため、設定確認画面５０を見てドキュメントプロパティ画面４０の設定をイメージすることができ、各項目の設定状態を容易に確認することができる。
【００５６】
なお、上記実施例では、プリンタドライバにより表示されるドキュメントプロパティ画面を例にして説明したが、本発明は上記実施例に限定されるものではなく、例えば、文書アプリケーションにより表示される画面を用いて各種設定及びその確認を行う場合など、任意の画面で設定した項目の設定状態を他の画面で確認する場合に対して、同様に適用することができる。
【産業上の利用可能性】
【００５７】
本発明は、画像形成装置を制御する制御装置及び該制御装置における制御方法並びに該制御装置で動作する画像形成装置を制御するためのプリンタドライバに限らず、各種項目の設定及び確認を行う制御装置及び該制御装置における制御方法並びに設定を制御するプログラムに利用可能である。
【図面の簡単な説明】
【００５８】
【図１】本発明の一実施例に係る印刷システムの構成を模式的に示す図である。
【図２】本発明の一実施例に係るコンピュータ端末の構成を示すブロック図である。
【図３】本発明の一実施例に係るプリンタドライバによりコンピュータ端末で実行される機能を示すブロック図である。
【図４】本発明の一実施例に係る画像形成装置の構成を示すブロック図である。
【図５】本発明の一実施例に係るコンピュータ端末における制御手順を示すフローチャート図である。
【図６】本発明の一実施例に係るコンピュータ端末の表示部に表示されるドキュメントプロパティ画面の構成例を示す図である。
【図７】本発明の一実施例に係るコンピュータ端末の表示部に表示されるページ割付詳細画面の構成例を示す図である。
【図８】本発明の一実施例に係るコンピュータ端末の表示部に表示される設定確認画面の構成例を示す図である。
【図９】本発明の一実施例に係るコンピュータ端末の表示部に表示される設定確認画面の設定表示欄の他の構成例を示す図である。
【図１０】従来技術の設定画面（ドキュメントプロパティ画面）の構成例を示す図である。
【図１１】従来技術の設定確認画面の構成例を示す図である。
【符号の説明】
【００５９】
１０  印刷システム
２０  コンピュータ端末
２１  制御部
２１ａ  ＣＰＵ
２１ｂ  ＲＯＭ
２１ｃ  ＲＡＭ
２２  記憶部
２３  操作部
２４  表示部
２５  ネットワーク接続部
２６  印刷データ生成部
２７  設定制御部
２８  印刷指示部
３０  画像形成装置
３１ａ  ＣＰＵ
３１ｂ  ＲＯＭ
３１ｃ  ＲＡＭ
３２  ＨＤＤ
３３  ＵＳＢ  Ｉ／Ｆ
３４  ＬＡＮ  Ｉ／Ｆ
３５  表示操作部
３６  言語解析部
３７  画像処理部
３８  印刷部
４０  ドキュメントプロパティ画面
４１  タブ
４２  チェックボックス
４３  ページ割付詳細画面
４４  ドキュメントプロパティ画面（従来技術）
５０  設定確認画面
５１  設定選択欄
５２  設定表示欄
６０  設定確認画面
６１  設定選択欄
６２  設定表示欄
【図１】
2008186114.tif 000003
【図２】
2008186114.tif 000004
【図３】
2008186114.tif 000005
【図４】
2008186114.tif 000006
【図５】
2008186114.tif 000007
【図６】
2008186114.tif 000008
【図７】
2008186114.tif 000009
【図８】
2008186114.tif 000010
【図９】
2008186114.tif 000011
【図１０】
2008186114.tif 000012
【図１１】
2008186114.tif 000013